(57)【特許請求の範囲】
【請求項１】
複数のデジタルリンクを有するインタフェースに対し、通信チャネルを、共通線信号によるネゴシエーションで割り当てて設定する際に、リンクを自動識別する通信リンク自動識別方法において、
一方の通信制御装置のリンク群内のそれぞれのリンクに、予め個別にリンク識別番号を設定し、
他方の通信制御装置からリンク識別番号を取り込むためのリンク識別要求メッセージを送信し、
リンク識別要求メッセージを受信した一方の通信制御装置からリンクごとに設定されたリンク識別番号を、リンク識別応答メッセージに格納して送信し、
他方の通信制御装置が受信したリンク識別応答メッセージからリンクごとのリンク識別番号を取り出し、かつ、格納し、
次に、通信チャネルを共通線信号によるネゴシエーションで割り当てて設定する際に、格納しているリンクごとのリンク識別番号を取り出して自動識別することを特徴とする通信リンク自動識別方法。
【請求項２】
前記他方の通信制御装置が、一方の通信制御装置からリンク識別番号を取り込み、かつ、格納する処理を、
リンク群のそれぞれのリンクで同時に平行して行うことを特徴とする請求項１記載の通信リンク自動識別方法。
【請求項３】
複数のデジタルリンクを有するインタフェースに対し、通信チャネルを、共通線信号によるネゴシエーションで割り当てて設定する際に、リンクを自動識別する通信リンク自動識別システムにおいて、
前記一方の通信制御装置が、リンク群内のそれぞれのリンクに個別にリンク識別番号を予め設定し、かつ、前記他方の通信制御装置からリンク識別要求メッセージを受信した際に、リンクごとに設定されたリンク識別番号をリンク識別応答メッセージに格納して送信し、
前記他方の通信制御装置が、リンク識別番号を取り込むためのリンク識別要求メッセージを送信し、受信したリンク識別応答メッセージからリンクごとのリンク識別番号を取り出し、かつ、格納すると共に、前記一方の通信制御装置との間で通信チャネルを、共通線信号によるネゴシエーションで割り当てて設定する際に、格納しているリンクごとのリンク識別番号を取り出して自動識別することを特徴とする通信リンク自動識別システム。
【請求項４】
前記他方の通信制御装置が、一方の通信制御装置からリンク識別番号を取り込み、かつ、格納する処理を、
リンク群のそれぞれのリンクで同時に平行して行うことを特徴とする請求項３記載の通信リンク自動識別システム。
【請求項５】
前記他方の通信制御装置が、リンク識別番号を格納した後に、
定期的又は不定期で、一方の通信制御装置に設定されているリンク識別番号を取り込み、リンク識別番号が変更されている際に、再度格納して更新することを特徴とする請求項３記載の通信リンク自動識別システム。
【請求項６】
前記一方及び他方の通信制御装置として、
リンクごとのリンク識別番号が設定されるインタフェースを処理する複数のインタフェース回路と、
前記複数のインタフェース回路のそれぞれとの間でメッセージを送受信するための複数のメッセージ送受信回路と、
リンク識別番号を設定し、かつ、自動的に確認して通信チャネルの設定を制御するためのリンク管理制御部と、
外部装置との通信インタフェースを処理する外部インタフェース回路と、
を備えることを特徴とする請求項３記載の通信リンク自動識別システム。
【請求項７】
前記プロトコルとして、
共通線信号チャネル上のメッセージ交換によるネゴシエーションによることを特徴とする請求項３記載の通信リンク自動識別システム。
【請求項８】
前記プロトコルにおける伝送速度が、ＩＴＵ−Ｔ勧告／ＧシリーズのＮ次群（Ｎ＝０，１，２，…）インタフェースであることを特徴とする請求項７記載の通信リンク自動識別システム。
【請求項９】
前記リンク識別要求メッセージ及びリンク識別応答メッセージを、
前記プロトコルにおけるフレーム中の共通線信号タイムスロット（ＴＳ）に格納して伝送することを特徴とする請求項３記載の通信リンク自動識別システム。
【請求項１０】
前記一方の通信制御装置に、
リンク識別番号を変更設定し、入力データ及び処理データを画面表示するための入力／表示装置を、更に備えることを特徴とする請求項６記載の通信リンク自動識別システム。
【請求項１１】
前記通信リンク自動識別システムが、
ワイヤレスローカルループシステムに配置される網接続装置とＷＬＬ基地局との間のインタフェースを自動識別するために設けられることを特徴とする請求項３記載の通信リンク自動識別システム。
【発明の詳細な説明】
【０００１】
【発明の属する技術分野】
本発明は、複数のデジタルリンクを有するインタフェースに対し、通信チャネルを、共通線信号によるネゴシエーションで割り当てて設定する際に、リンクを自動識別する通信リンク自動識別方法及びそのシステムに関する。
【０００２】
【従来の技術】
従来、ＩＵＴ−Ｔ勧告によるＶ５．２プロトコルは、複数の伝送速度２０４８ｋｂｉｔ／ｓリンクと、このリンク群中の一つのリンク上にある共通線信号チャネルとの構成を想定している。この場合のリンクは一組の送受信信号による時分割多重接続（ＴＤＭＡ）通信回線であり、共通線信号方式よる回線接続を行うものである。この場合のリンクは一組の送受信信号による通信回線であり、物理的な一本のケーブルと同等の意味で使用されることが多い。
【０００３】
図４は従来の通信制御装置間リンクを説明するためのブロック図であり、図５はＶ５．２プロトコルの伝送手順を示すシーケンス図である。
図４において、二つの通信制御装置１，２が、リンク３で接続されている。このリンク３は複数の伝送速度２０４８ｋｂｉｔ／ｓリンク１，２…ｎである。このプロトコルは、リンクコントロールプロトコルと呼称される手順によって、どのリンクかを識別するためのリンク識別番号と物理的リンクとの対応を確認する手順が勧告されている。
【０００４】
図５において、通信制御装置１から、ある特定のリンク上に存在する共通線信号を使用して、リンク識別番号を含んだ識別要求メッセージ「ｎ」を送出する。このメッセージを受信した通信制御装置２は、そのリンク識別番号に対応する伝送速度２０４８ｋｂｉｔ／ｓリンクのスペアビット（Ｓａ７）を「０」にする。そのスペアビット（Ｓａ７）の変化を、要求側の通信制御装置１が検出し、リンク識別番号と物理リンクとの対応関係を内部の記憶装置などに登録する。この後に、スペアビット（Ｓａ７）を「１」に戻す手順を実行する。この手順を全ての伝送速度２０４８ｋｂｉｔ／ｓリンク１…ｎに対して実行して確認し、かつ、登録する。この登録されたリンク識別番号を、以降の通信チャネルの設定のネゴシエーション時の情報に格納している。
【０００５】
このＶ５．２プロトコルを実行する通信制御装置１，２間において、接続ケーブル回線の接続を間違えた場合は次の説明のようになる。
図６はＶ５．２プロトコルにおける共通線信号チャネルを含むリンクを誤接続した場合を説明するための図であり、図７はＶ５．２プロトコルにおける共通線信号チャネルを含むリンク以外を誤接続した場合を説明するための図である。
図６及び図７において、この例は通信制御装置１（２）に２０４８ｋｂｉｔ／ｓインタフェース（適宜、Ｉ／Ｆと記載する）回路１ａ，１ｂ，１ｃ（２ａ，２ｂ，２ｃ）及びメッセージ送受信回路１ｄ（２ｄ）を有している。
【０００６】
図６の例では、共通線信号チャネルを含むリンクを誤接続している。この場合、リンク識別を確認する際に、通信制御装置２の２０４８ｋｂｉｔ／ｓＩ／Ｆ回路２ａから通信制御装置１の２０４８ｋｂｉｔ／ｓＩ／Ｆ回路１ａにリンク要求メッセージが伝送されない。また、図７において、共通線信号チャネルを含むリンク以外を誤接続している場合は、リンク識別を要求する通信制御装置１，２が、この通信制御装置１，２間で使用しているリンク識別番号を予め登録しておく必要がある。
【０００７】
ここでは通信制御装置１における２０４８ｋｂｉｔ／ｓＩ／Ｆ回路１ａ，１ｂ，１ｄにリンク識別番号「１」「２」「３」を設定している。この設定を行った後に、接続の対応状況を確認する。この確認では、図６に示すように通信制御装置２が、メッセージ送受信回路２ｄ及び２０４８ｋｂｉｔ／ｓＩ／Ｆ回路２ａを通じて、通信制御装置１にリンク識別要求メッセージ「２」を送出した場合、通信制御装置１では、２０４８ｋｂｉｔ／ｓ  Ｉ／Ｆ回路１ｂで受信し、メッセージ送受信回路１ｄには届かない。
【０００８】
【発明が解決しようとする課題】
このように上記従来例は、Ｖ５．２プロトコルにおける共通線信号チャネルを含むリンクを誤接続した場合、リンク要求メッセージが伝送されず、その通信が出来ない。
【０００９】
また、図７のように共通線信号チャネルを含むリンク以外を誤接続した場合に対応するためには、通信制御装置間で使用するリンク識別番号を通信制御装置２において予め登録されていないと、リンク識別番号を論理的に取りえる値の範囲で走査する必要があり、リンク数以上の確認手順を実行するため、その確認時間が多大になるという欠点がある。
【００１０】
本発明は、このような従来の技術における課題を解決するものであり、ＩＴＵ−Ｔ勧告のＶ５．２プロトコルを実行する通信制御装置間のケーブル接続を行う際に、相手側のリンク識別番号を予め周知せずに、リンクごとの一度のメッセージ交換で確認できるようになり、個々のリンクが短時間で確認され、そのケーブル接続の作業時間が大幅に短縮可能になる通信リンク自動識別方法及びそのシステムの提供を目的としている。
【００１１】
【課題を解決するための手段】
上記目的を達成するために、本発明の通信リンク自動識別方法は、複数のデジタルリンクを有するインタフェースに対し、通信チャネルを共通線信号によるネゴシエーションで割り当てて設定する際に、リンクを自動識別するものであり、一方の通信制御装置のリンク群内のそれぞれのリンクに、予め個別にリンク識別番号を設定し、他方の通信制御装置からリンク識別番号を取り込むためのリンク識別要求メッセージを送信し、リンク識別要求メッセージを受信した一方の通信制御装置からリンクごとに設定されたリンク識別番号をリンク識別応答メッセージに格納して送信し、他方の通信制御装置が受信したリンク識別応答メッセージからリンクごとのリンク識別番号を取り出し、かつ、格納し、次に、通信チャネルを、共通線信号によるネゴシエーションで割り当てて設定する際に、格納しているリンクごとのリンク識別番号を取り出して自動識別している。また、前記他方の通信制御装置が一方の通信制御装置からリンク識別番号を取り込み、かつ、格納する処理を、リンク群のそれぞれのリンクで同時に平行して行っている。
【００１２】
本発明の通信リンク自動識別システムは、複数のデジタルリンクを有するインタフェースに対し、通信チャネルを、共通線信号によるネゴシエーションで割り当てて設定する際に、リンクを自動識別するものであり、一方の通信制御装置が、リンク群内のそれぞれのリンクに個別にリンク識別番号を予め設定し、かつ、他方の通信制御装置からリンク識別要求メッセージを受信した際に、リンクごとに設定されたリンク識別番号をリンク識別応答メッセージに格納して送信し、他方の通信制御装置が、リンク識別番号を取り込むためのリンク識別要求メッセージを送信し、受信したリンク識別応答メッセージからリンクごとのリンク識別番号を取り出し、かつ、格納すると共に、一方の通信制御装置との間で通信チャネルを、共通線信号によるネゴシエーションで割り当てて設定する際に、格納しているリンクごとのリンク識別番号を取り出して自動識別する構成である。
【００１３】
前記他方の通信制御装置が、一方の通信制御装置からリンク識別番号を取り込み、かつ、格納する処理を、リンク群のそれぞれのリンクで同時に平行して行い、かつ、前記他方の通信制御装置が、リンク識別番号を格納した後に、定期的又は不定期で、一方の通信制御装置に設定されているリンク識別番号を取り込み、リンク識別番号が変更されている際に、再度格納して更新する構成である。
【００１４】
また、前記一方及び他方の通信制御装置として、リンクごとのリンク識別番号が設定されるインタフェースを処理する複数のインタフェース回路と、複数のインタフェース回路のそれぞれとの間でメッセージを送受信するための複数のメッセージ送受信回路と、リンク識別番号を設定し、かつ、自動的に確認して通信チャネルの設定を制御するためのリンク管理制御部と、外部装置との通信インタフェースを処理する外部インタフェース回路とを備える構成である。
【００１５】
更に、前記プロトコルとして、共通線信号チャネル上のメッセージ交換によるネゴシエーションにより実現し、また、前記インタフェースの伝送速度が２０４８ｋｂｉｔ／ｓであり、又は、伝送速度１５４４ｋｂｉｔ／ｓであると共に、前記リンク識別要求メッセージ及びリンク識別応答メッセージを、フレーム中の共通線信号タイムスロット（ＴＳ）に格納して伝送する構成である。
【００１６】
また、前記一方の通信制御装置に、リンク識別番号を変更設定し、かつ、インタフェースの自動識別制御の起動を手動操作で指示すると共に、入力データ及び処理データを画面表示するための入力／表示装置を更に備え、また、前記他方の通信制御装置に、入力データ及び処理データを画面表示するための入力／表示装置を更に備える構成である。
【００１７】
また、前記通信リンク自動識別システムが、ワイヤレスローカルループシステムに配置される網接続装置とＷＬＬ基地局との間のインタフェースを自動識別するために設けられる構成である。
【００１８】
このような本発明の通信リンク自動識別方法及びそのシステムでは、一方の通信制御装置が、リンクごとにリンク識別番号を設定する。他方の通信制御装置がリンク識別要求メッセージを送信し、受信したリンク識別応答メッセージからリンクごとのリンク識別番号を取り出し、かつ、格納する。この場合、リンク群のそれぞれのリンクで同時に平行して処理する。この後の通信チャネルを、共通線信号によるネゴシエーションで割り当てて設定する際に、他方の通信制御装置が、格納しているリンクごとのリンク識別番号を取り出して自動識別する。
【００１９】
この結果、通信制御装置間のケーブル接続を行う際に、相手側のリンク識別番号を予め周知せずに、リンクごとの一度のメッセージ交換で確認できるようになる。したがって、個々のリンクが短時間で確認される。
【００２０】
【発明の実施の形態】
次に、本発明の通信リンク自動識別方法及びそのシステムの実施の形態を添付図面を参照して詳細に説明する。
図１は本発明の通信リンク自動識別方法及びそのシステムの構成を示すブロック図である。
図１において、この例は、ＩＴＵ−Ｔ（ＣＣＩＴＴ）勧告によるＶ５．２プロトコルを適用して説明する。ここでの一次群インタフェースにおける伝送速度は２０４８ｋｂｉｔ／ｓであり、そのインタフェース構造のＢ（情報）インタフェース（多重アクセス）が３０Ｂ＋Ｄ（２０４８ｋｂｉｔ／ｓ）である。この場合のＤチャネルの伝送速度は６４ｋｂｉｔ／ｓであり、Ｂチャネルの複数のインタフェースを、まとめてＤチャネルを配置する。このとき他のインタフェースは、３０Ｂの使用が可能である。
【００２１】
図１において、この例は通信制御装置１１，１２との間が接続ケーブル１３で接続されている。通信制御装置１１，１２は、次に説明する（１）（２）の制御を実行する（以下、適宜、「本発明の実施形態にかかる制御」と記載する）。
【００２２】
（１）通信制御装置１１が、リンク群内のそれぞれのリンクに個別にリンク識別番号を予め設定する。更に、通信制御装置１２からリンク識別要求メッセージを受信した際に、リンクごとに設定されたリンク識別番号をリンク識別応答メッセージに格納して送信する。
（２）通信制御装置１２が、リンク識別番号を取り込むためのリンク識別要求メッセージを送信する。これに対して受信したリンク識別応答メッセージからリンクごとのリンク識別番号を取り出し、かつ、格納する。通信制御装置１１との間で通信チャネルを、共通線信号によるネゴシエーションで割り当てて設定する際に、格納しているリンクごとのリンク識別番号を取り出して自動識別する。
【００２３】
図１の構成の適用例について説明する。
この通信制御装置１１，１２は、例えば、ワイヤレスローカルループ（ＷＬＬ:Wireless Local Loop) ネットワークに適用される。このワイヤレスローカルループでは、ＷＬＬ端末とＷＬＬ基地局との間が無線回線接続（無線区間）される。更に、ＷＬＬ基地局が、マイクロ波帯などで無線回線接続した網接続装置を通じて地方交換機（ＬＳ）に収容されている。
【００２４】
この網接続装置とＷＬＬ基地局とに通信制御装置１１，１２が設けられている。この通信制御装置１１，１２を接続する接続ケーブル１３は、実際の例として二つの形態がある。まず、通信制御装置１１，１２が極めて接近している際にメタリックケーブルで直接接続する場合である。また、通信制御装置１１，１２の間に距離があり、光ケーブルまたはマイクロ波帯などで接続する場合である。この場合、通信制御装置１１，１２に光ケーブル又はマイクロ波帯で接続するための通信接続装置を設けることになる。
【００２５】
図１において、通信制御装置１１は、通信制御装置１２との間の伝送速度２０４８ｋｂｉｔ／ｓでのインタフェースを処理する２０４８ｋｂｉｔ／ｓＩ／Ｆ回路２１と、共通線信号チャネルを通じて制御される情報チャネルによるデータ伝送におけるインタフェースを処理する２０４８ｋｂｉｔ／ｓＩ／Ｆ回路２２と、これと同様にインタフェースを処理する２０４８ｋｂｉｔ／ｓＩ／Ｆ回路２３とを有している。
【００２６】
更に、通信制御装置１１は、２０４８ｋｂｉｔ／ｓＩ／Ｆ回路２１との間でメッセージを送受信するためのメッセージ送受信回路２４と、２０４８ｋｂｉｔ／ｓＩ／Ｆ回路２２との間でメッセージを送受信するためのメッセージ送受信回路２５と、２０４８ｋｂｉｔ／ｓＩ／Ｆ回路２３との間でメッセージを送受信するためのメッセージ送受信回路２６と、「本発明の実施形態にかかる制御」を実行するリンク管理制御部２７と、図示しない外部装置の間での通信インタフェースを処理する外部Ｉ／Ｆ回路２８と、２０４８ｋｂｉｔ／ｓＩ／Ｆ回路２１〜２３に、それぞれに対応して設定されるリンク識別番号（例えば、以降で説明する「１」「２」「３」）を記憶する記憶装置２９と、２０４８ｋｂｉｔ／ｓＩ／Ｆ回路２１〜２３に、それぞれに対応して設定されるリンク識別番号を入力するための入力表示装置３０とを有している。
【００２７】
通信制御装置１２も通信制御装置１１と同様の構成であり、２０４８ｋｂｉｔ／ｓＩ／Ｆ回路３１，３２，３３、メッセージ送受信回路３４，３５，３６、リンク管理制御部３７、外部Ｉ／Ｆ回路３８、記憶装置３９及び入力表示装置４０を有している。
【００２８】
次に、実施形態の動作について説明する。
図２はＶ５．２プロトコルのフレーム構成を示す図であり、図３は動作を説明するためのブロック図である。
図２及び図３において、前記したＩＵＴ−Ｔ勧告のＶ５．２プロトコルによるデジタル伝送方式の規定では、図２に示すように１２５μｓごとのフレーム構造を有している。このフレームでは、タイムスロット（ＴＳ）０を同期用、タイムスロット（ＴＳ）１６を共通線信号用とし、その他のタイムスロット（ＴＳ）１〜１５，１７〜３１を情報チャネルとしている。このタイムスロット（ＴＳ）１６の共通線信号に以降で説明するリンク識別要求メッセージ及びリンク識別応答メッセージを格納して伝送する。
【００２９】
図１において、通信制御装置１１，１２は、設置された後に接続ケーブル１３で接続する。そして、インタフェース起動時にこの通信制御装置１１，１２に設けた入力表示装置３０，４０からの起動指示信号を、リンク管理制御部２７，３７が取り込んで「本発明の実施形態における制御」の動作を開始する。この接続は、例えば、前記した説明のようにワイヤレスローカルループ（ＷＬＬ）ネットワークにおける網接続装置とＷＬＬ基地局とを通信制御装置１，２を用いて接続した場合である。
【００３０】
次に、通信制御装置１１は、図３に示すように入力表示装置３０から２０４８ｋｂｉｔ／ｓＩ／Ｆ回路２１〜２３に対するリンク識別番号を入力し、このリンク識別番号をリンク管理制御部２７が取り込み、記憶装置２９に記憶して２０４８ｋｂｉｔ／ｓＩ／Ｆ回路２１〜２３ごとに設定する。例えば、図３に示すように２０４８ｋｂｉｔ／ｓＩ／Ｆ回路２１，２２，２３にそれぞれリンク識別番号「１」「２」「３」を設定する。
【００３１】
このようにリンク群内で個々のリンクに割り当てられたリンク識別番号を登録する。また、全てのリンクに信号チャネルを存在させて、常時、リンク識別要求メッセージ及びリンク識別応答メッセージを処理できるようにする。また、通信制御装置１２においても、全てのリンクに信号チャネルを存在させて、常時、リンク識別要求メッセージ及びリンク識別応答メッセージを処理できるようにし、このリンク識別番号を、取り出し、かつ、確認して登録する。この登録までの手順は、それぞれのリンクにおいて通信制御装置１１，１２間で同時平行処理が可能である。
【００３２】
図３に示すように通信制御装置１１の２０４８ｋｂｉｔ／ｓＩ／Ｆ回路２１と通信制御装置１２の２０４８ｋｂｉｔ／ｓＩ／Ｆ回路３３とが接続されている。また、通信制御装置１１の２０４８ｋｂｉｔ／ｓＩ／Ｆ回路２２（２３）と通信制御装置１２の２０４８ｋｂｉｔ／ｓＩ／Ｆ回路３１（３２）とが接続されている。すなわち、図１に示す接続ケーブル回線１３の正常な接続状態に対して、誤って接続されている。
【００３３】
この接続ケーブル回線１３の誤った接続状態にあって、通信制御装置１２が、いずれかのリンク上の信号チャネルを通じて、そのリンクに関するリンク識別要求メッセージを、通信制御装置１１に送信して問い合わせる。通信制御装置１１は、受信したリンク識別要求メッセージのリンクに割り当てられているリンク識別番号を格納したリンク識別応答メッセージを、このリンクを通じて通信制御装置１２に返送する。
【００３４】
通信制御装置１２は、受信したリンク識別応答メッセージからリンク識別番号を取り出し、このリンク識別番号を記憶装置３９に格納する。このリンク識別番号を記憶装置３９に格納する処理は、全てのリンクに対し、それぞれのリンクにおいて同時平行処理によって行う。この後の通信チャネルを指定するネゴシエーション時に通信制御装置１２が記憶装置３９に格納したリンク識別番号を読み出して参照する。
【００３５】
例えば、図３に示すように通信制御装置１２のリンク管理制御部３７が、メッセージ送受信回路３４を制御して、２０４８ｋｂｉｔ／ｓＩ／Ｆ回路３１を通じて通信制御装置１１へ、リンクの図２に示すフレーム中のタイムスロット１６の共通線信号に、リンク識別要求メッセージを格納して問い合わせる。このリンク識別要求メッセージを、通信制御装置１１の２０４８ｋｂｉｔ／ｓＩ／Ｆ回路２２及びメッセージ送受信回路２５を通じてリンク管理制御部２７が取り込む。
【００３６】
リンク管理制御部２７は、２０４８ｋｂｉｔ／ｓＩ／Ｆ回路２２に付与されているリンク識別番号「２」を格納したリンク識別応答メッセージ（図２に示すフレームのタイムスロット（ＴＳ）１６の共通線信号に格納）を、メッセージ送受信回路２５及び２０４８ｋｂｉｔ／ｓＩ／Ｆ回路２２を通じ、かつ、このリンクを通じて通信制御装置１２に返送する。
【００３７】
このリンク識別応答メッセージを受信した通信制御装置１２は、このリンク識別応答メッセージを、２０４８ｋｂｉｔ／ｓＩ／Ｆ回路３１及びメッセージ送受信回路３４を通じてリンク管理制御部３７が取り込む。リンク管理制御部３７は、リンク識別応答メッセージからリンク識別番号「２」を取り出し、このリンク識別番号を記憶装置３９に格納する。このリンク識別番号を記憶装置３９に格納するまでの処理は、全てのリンクに対し、それぞれのリンクにおいて同時平行処理によって行う。すなわち、リンク識別番号「２」と共に図３に示すように通信制御装置１１の２０４８ｋｂｉｔ／ｓＩ／Ｆ回路２１，２３のリンク識別番号「１」「３」を同時平行処理によって、記憶装置３９に格納する。
【００３８】
この後のＴＤＭＡにおける通信チャネルを指定するネゴシエーション時に、通信制御装置１２が記憶装置３９に格納したリンク識別番号を読み出して参照して、通信チャネルを確立する。この後は、通信制御装置１１，１２間の２０４８ｋｂｉｔ／ｓＩ／Ｆ回路２２〜２３、３１〜３３を通じて図示しない外部装置間でのデータ伝送が実行される。
【００３９】
このように、この実施形態では、リンク識別番号を自動的に確認して通信チャネルの設定が出来るようになる。したがって、接続ケーブル１３を細心の注意を払って接続する必要がなくなる。また、誤って接続しても、正常にリンク識別番号を自動的に確認して通信チャネルの設定が出来るようになる。換言すれば、短時間で作業を終了させるため、接続ケーブル１３を適当に接続しても良いことになる。この結果、接続作業時間が削減される。
【００４０】
また、この実施形態では、ＩＴＵ−Ｔ（ＣＣＩＴＴ）勧告のＧシリーズのデジタル伝送方式（主に欧州で使用されている）における同期式伝送速度２０４８ｋｂｉｔ／ｓの一次群インタフェース（３０Ｂ＋Ｄ／多重アクセス）をもって説明したが、他の地域（主に国内や北米）での同期式の伝送速度１５４４ｋｂｉｔ／ｓの一次群インタフェース（２３Ｂ＋Ｄ／多重アクセス）にも適用できる。
【００４１】
また、通信制御装置１１の入力表示装置３０で、ここから入力して設定するリンク識別番号を画面表示し、また、通信制御装置１２の入力表示装置４０で、リンク管理制御部３７が、リンク識別応答メッセージから取り出したリンクごとのリンク識別番号を画面表示し、更に、印字出力すると、その接続ケーブル１３の接続状態がネットワーク管理者で迅速かつ確実に判明し、以降での参考資料として利用可能になる。
【００４２】
更に、通信制御装置１２が、定期的又は不定期で、通信制御装置１１に設定されているリンク識別番号を取り込んで、変更があった際に、再度格納して更新すると、例えば、増設などのシステム変更時などでの接続ケーブル１３の接続変更などに、自動的に対応可能になる。
【００４３】
【発明の効果】
以上の説明から明らかなように、本発明の通信リンク自動識別方法及びそのシステムによれば、一方の通信制御装置が、リンクごとに設定したリンク識別番号を、他方の通信制御装置がリンク識別要求メッセージをリンク群のそれぞれのリンクで同時に平行して送信し、受信したリンク識別応答メッセージからリンクごとのリンク識別番号を取り出し、かつ、格納する。この後の通信チャネルの割り当てを共通線信号によるネゴシエーションで設定する際に、他方の通信制御装置が、格納しているリンクごとのリンク識別番号を取り出して自動識別する。
【００４４】
この結果、ＩＵＴ−Ｔ勧告のＶ５．２プロトコルを実行する通信制御装置間のケーブル接続を行う際に、相手側のリンク識別番号を予め周知せずに、リンクごとの一度のメッセージ交換で確認できるようになる。したがって、個々のリンクが短時間で確認され、そのケーブル接続の作業時間が大幅に短縮される。
【図面の簡単な説明】
【図１】本発明の通信リンク自動識別方法及びそのシステムの構成を示すブロック図である。
【図２】実施形態にあってフレームを示す図である。
【図３】実施形態での動作を説明するためのブロック図である。
【図４】従来の通信制御装置間リンクを説明するためのブロック図であり、
【図５】従来例にあってプロトコルの伝送手順を示すシーケンス図である。
【図６】従来例にあって共通線信号チャネルを含むリンクを誤接続した場合を説明するための図である。
【図７】従来例にあって共通線信号チャネルを含むリンク以外を誤接続した場合を説明するための図である。
【符号の説明】
１１，１２    通信制御装置
１３    接続ケーブル
２１〜２３，３１〜３３    ２０４８ｋｂｉｔ／ｓＩ／Ｆ回路
２４〜２６，３４〜３６    メッセージ送受信回路
２７，３７    リンク管理制御部
２８，３８    外部Ｉ／Ｆ回路
２９，３９    記憶装置
３０，４０    入力表示装置
【図１】
0004067667.tif 000002
【図２】
0004067667.tif 000003
【図３】
0004067667.tif 000004
【図４】
0004067667.tif 000005
【図５】
0004067667.tif 000006
【図６】
0004067667.tif 000007
【図７】
0004067667.tif 000008